Podtech/llm-jp-corpus-v4-ja_patent huggingface dataset:
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
複数のステージを含むビデオゲームの進行を通信ネットワークを介して制御するビデオゲーム制御サーバであって、
同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行手段と、
前記特別ゲームをプレイしたプレイヤに対して特典を付与する特典付与手段とを含む
ことを特徴とするビデオゲーム制御サーバ。
【請求項２】
前記特別ゲーム実行手段は、前記達成条件を満たしたプレイヤと同じグループに属するプレイヤのうち、前記達成条件を満たしていないプレイヤもプレイ可能な特別ゲームを実行する
請求項１記載のビデオゲーム制御サーバ。
【請求項３】
前記特典付与手段は、前記特別ゲームをプレイしたプレイヤのうち前記達成条件を満たしていないプレイヤに対しては、当該達成条件を満たしたときに特典を付与する
請求項２記載のビデオゲーム制御サーバ。
【請求項４】
複数のステージを含むビデオゲームの進行を制御するビデオゲーム制御装置であって、
同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行手段と、
前記特別ゲームをプレイしたプレイヤに対して特典を付与する特典付与手段とを含む
ことを特徴とするビデオゲーム制御装置。
【請求項５】
複数のステージを含むビデオゲームの進行を制御する機能をコンピュータに実現させるためのビデオゲーム制御プログラムであって、
前記コンピュータに、
同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行機能と、
前記特別ゲームをプレイしたプレイヤに対して特典を付与する特典付与機能とを
実現させるためのビデオゲーム制御プログラム。
【手続補正２】
【補正対象書類名】明細書
【補正対象項目名】０００７
【補正方法】変更
【補正の内容】
【０００７】
非限定的な観点によると、本発明にかかるビデオゲーム制御サーバは、複数のステージを含むビデオゲームの進行を通信ネットワークを介して制御するビデオゲーム制御サーバであって、同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行手段と、前記特別ゲームをプレイしたプレイヤに対して特典を付与する特典付与手段とを含むことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
非限定的な観点によると、本発明にかかるビデオゲーム制御装置は、複数のステージを含むビデオゲームの進行を制御するビデオゲーム制御装置であって、同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行手段と、前記特別ゲームをプレイしたプレイヤに対して特典を付与する特典付与手段とを含むことを特徴とする。
【手続補正９】
【補正対象書類名】明細書
【補正対象項目名】００１４
【補正方法】変更
【補正の内容】
【００１４】
非限定的な観点によると、本発明にかかるビデオゲーム制御プログラムは、複数のステージを含むビデオゲームの進行を制御する機能をコンピュータに実現させるためのビデオゲーム制御プログラムであって、前記コンピュータに、同一のグループに属する複数のプレイヤのうち所定数のプレイヤが既定数のステージをクリアしたことにより達成される条件（以下「達成条件」という。）を満たした際、少なくとも前記所定数のプレイヤによってプレイされる特別ゲームを実行する特別ゲーム実行機能と、前記特別ゲームをプレイしたプレイヤに対して特典を付与する特典付与機能とを実現させるためのものである。
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
変動表示結果が特別表示結果となると複数のラウンドに亘って大入賞口が、遊技球が入球可能な開放状態と入球不可能な閉鎖状態とに制御される特別遊技状態を発生させる遊技機において、
前記大入賞口として、遊技領域のうちの右側領域を流下する遊技球が入球可能な、第１大入賞口及び第２大入賞口を備えるとともに、
前記複数のラウンドにおける初回のラウンドから特定ラウンドとなる前のラウンドまでは、前記第１大入賞口を開放状態に制御するとともに前記第２大入賞口を閉鎖状態に制御した後、前記特定ラウンドでは前記第２大入賞口を開放状態に制御するとともに前記第１大入賞口を閉鎖状態に制御する開閉制御を行う開閉制御手段と、
前記特定ラウンドにおける前記第２大入賞口への遊技球の入球に基づいて、前記特別遊技状態の終了後に、遊技状態として通常遊技状態に比べて前記変動表示結果が前記特別表示結果となり易い特定遊技状態に制御する遊技状態制御手段と、
前記複数のラウンドにおいて、前記右側領域に遊技球を入球させることを遊技者が認識可能な画像を表示装置に表示する表示制御手段と、を備え、
前記表示制御手段は、
前記特定ラウンドの開始前に、前記第２大入賞口を模した画像と、該第２大入賞口に遊技球を入球させることを遊技者が認識可能な画像と、を前記表示装置に表示する
ことを特徴とする遊技機。
【手続補正２】
【補正対象書類名】明細書
【補正対象項目名】０００５
【補正方法】変更
【補正の内容】
【０００５】
しかしながら、２つの大入賞口（例えば、第１大入賞口と第２大入賞口）を備え、第２大入賞口に遊技球が入球することにより通常遊技状態に比べて変動表示結果が特別表示結果となり易い特定遊技状態となる遊技機においては、この第２大入賞口に遊技球を入球させることを遊技者に認識させる必要があった。
【手続補正３】
【補正対象書類名】明細書
【補正対象項目名】０００６
【補正方法】変更
【補正の内容】
【０００６】
そこで、本発明は、第２大入賞口に遊技球を入球させることを遊技者に認識させることが可能な遊技機を提供することを目的とする。
【手続補正４】
【補正対象書類名】明細書
【補正対象項目名】０００７
【補正方法】変更
【補正の内容】
【０００７】
上述の目的を達成するため、本願請求項１に係る発明は、変動表示結果が特別表示結果となると複数のラウンドに亘って大入賞口が、遊技球が入球可能な開放状態と入球不可能な閉鎖状態とに制御される特別遊技状態を発生させる遊技機において、前記大入賞口として、遊技領域のうちの右側領域を流下する遊技球が入球可能な、第１大入賞口及び第２大入賞口を備えるとともに、前記複数のラウンドにおける初回のラウンドから特定ラウンドとなる前のラウンドまでは、前記第１大入賞口を開放状態に制御するとともに前記第２大入賞口を閉鎖状態に制御した後、前記特定ラウンドでは前記第２大入賞口を開放状態に制御するとともに前記第１大入賞口を閉鎖状態に制御する開閉制御を行う開閉制御手段と、前記特定ラウンドにおける前記第２大入賞口への遊技球の入球に基づいて、前記特別遊技状態の終了後に、遊技状態として通常遊技状態に比べて前記変動表示結果が前記特別表示結果となり易い特定遊技状態に制御する遊技状態制御手段と、前記複数のラウンドにおいて、前記右側領域に遊技球を入球させることを遊技者が認識可能な画像を表示装置に表示する表示制御手段と、を備え、前記表示制御手段は、前記特定ラウンドの開始前に、前記第２大入賞口を模した画像と、該第２大入賞口に遊技球を入球させることを遊技者が認識可能な画像と、を前記表示装置に表示することを特徴とする。
【手続補正５】
【補正対象書類名】明細書
【補正対象項目名】０００８
【補正方法】変更
【補正の内容】
【０００８】
本発明の遊技機によれば、第２大入賞口に遊技球を入球させることを遊技者に認識させることが可能となる。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
遊技球が流下する遊技領域に設けられた始動口に遊技球が入球することにより複数の識別情報の変動表示を実行し、変動表示結果が特別表示結果となることによって、複数のラウンドに亘って大入賞口が、遊技球が入球可能な開放状態と入球不可能な閉鎖状態とに制御される特別遊技状態を発生させる遊技機において、
前記大入賞口として、前記遊技領域のうちの右側領域を流下する遊技球が入球可能な第１大入賞口及び第２大入賞口を備えるとともに、
前記複数のラウンドのうちの特定ラウンドでは、前記第１大入賞口を閉鎖状態に制御するとともに前記第２大入賞口を開放状態に制御し、該複数のラウンドのうちの特定ラウンド以外のラウンドでは、該第１大入賞口を開放状態に制御するとともに該第２大入賞口を閉鎖状態に制御する開閉制御を行う開閉制御手段と、
前記特定ラウンドにおける前記第２大入賞口の所定領域への遊技球の入球に基づいて、前記特別遊技状態の終了後に、遊技状態として通常遊技状態に比べて前記変動表示結果が前記特別表示結果となり易い特定遊技状態に制御する遊技状態制御手段と、
前記特定ラウンドで前記第２大入賞口が開放される前に、該第２大入賞口を狙って遊技球を流下させることを遊技者に認識させるための事前報知を行い、
前記特定ラウンドで前記第２大入賞口の所定領域に遊技球が入球すると、前記特定遊技状態に制御されることを遊技者に認識させるための特定報知を行い、
前記特別遊技状態における前記事前報知を行わないときに、前記右側領域に遊技球を流下させることを遊技者に認識させるための右打ち報知を行う、報知手段と、
を備えることを特徴とする遊技機。
【手続補正２】
【補正対象書類名】明細書
【補正対象項目名】０００７
【補正方法】変更
【補正の内容】
【０００７】
上述の目的を達成するため、本願請求項１に係る発明の遊技機は、遊技球が流下する遊技領域に設けられた始動口に遊技球が入球することにより複数の識別情報の変動表示を実行し、変動表示結果が特別表示結果となることによって、複数のラウンドに亘って大入賞口が、遊技球が入球可能な開放状態と入球不可能な閉鎖状態とに制御される特別遊技状態を発生させる遊技機において、前記大入賞口として、前記遊技領域のうちの右側領域を流下する遊技球が入球可能な第１大入賞口及び第２大入賞口を備えるとともに、前記複数のラウンドのうちの特定ラウンドでは、前記第１大入賞口を閉鎖状態に制御するとともに前記第２大入賞口を開放状態に制御し、該複数のラウンドのうちの特定ラウンド以外のラウンドでは、該第１大入賞口を開放状態に制御するとともに該第２大入賞口を閉鎖状態に制御する開閉制御を行う開閉制御手段と、前記特定ラウンドにおける前記第２大入賞口の所定領域への遊技球の入球に基づいて、前記特別遊技状態の終了後に、遊技状態として通常遊技状態に比べて前記変動表示結果が前記特別表示結果となり易い特定遊技状態に制御する遊技状態制御手段と、前記特定ラウンドで前記第２大入賞口が開放される前に、該第２大入賞口を狙って遊技球を流下させることを遊技者に認識させるための事前報知を行い、前記特定ラウンドで前記第２大入賞口の所定領域に遊技球が入球すると、前記特定遊技状態に制御されることを遊技者に認識させるための特定報知を行い、前記特別遊技状態における前記事前報知を行わないときに、前記右側領域に遊技球を流下させることを遊技者に認識させるための右打ち報知を行う、報知手段と、を備えることを特徴とする。
【誤訳訂正書】
【提出日】平成27年10月21日(2015.10.21)
【誤訳訂正１】
【訂正対象書類名】特許請求の範囲
【訂正対象項目名】全文
【訂正方法】変更
【訂正の内容】
【特許請求の範囲】
【請求項１】
ａ）１種以上の銀イオン源、１種以上のイミドもしくはイミド誘導体、１種以上のアルカリ金属硝酸塩、並びに界面活性剤、緩衝剤、レベラー、結晶粒微細化剤、さび止め剤、および延性増強剤から選択される１種以上の任意成分からなり、シアン化物を含まない溶液を提供し；
ｂ）ニッケルを含む基体を前記溶液と接触させ；
ｃ）ニッケルもしくはニッケル合金上に銀ストライク層を電気めっきし；および
ｄ）銀ストライク層上に第２の銀層を電気めっきする
ことを含む方法。
【請求項２】
１種以上の銀イオン源が０．２ｇ／Ｌ〜２ｇ／Ｌの量であり、かつ１種以上のアルカリ金属硝酸塩が３ｇ／Ｌ〜３０ｇ／Ｌの量である、請求項１に記載の方法。
【請求項３】
銀ストライク層が厚さ０．０１μｍ〜０．２μｍである、請求項１または２に記載の方法。
【請求項４】
第２の銀層が厚さ１μｍ〜５０μｍである、請求項１〜３のいずれか１項に記載の方法。
【請求項５】
銀ストライク層が０．１Ａ／ｄｍ２〜２Ａ／ｄｍ２の電流密度で電気めっきされる、請求項１〜４のいずれか１項に記載の方法。
【請求項６】
前記アルカリ金属硝酸塩が硝酸カリウムまたは硝酸ナトリウムである請求項１〜５のいずれか１項に記載の方法。
【請求項７】
前記イミドがスクシンイミド、２，２−ジメチルスクシンイミド、２−メチル−２−エチルスクシンイミド、２−メチルスクシンイミド、２−エチルスクシンイミド、１，１，２，２−テトラメチルスクシンイミド、１，１，２−トリメチルスクシンイミド、２−ブチルスクシンイミド、マレイミド、１−メチル−２−エチルマレイミド、２−ブチルマレイミド、１−メチル−２−エチルマレイミド、フタルイミドおよびフタルイミド誘導体から選択される、請求項１〜６のいずれか１項に記載の方法。
【請求項８】
前記イミド誘導体がヒダントイン、１−メチルヒダントイン、１，３−ジメチルヒダントイン、５，５−ジメチルヒダントイン、１−メタノール−５，５−ジメチルヒダントインおよび５，５−ジフェニルヒダントインから選択される請求項１〜６のいずれか１項に記載の方法。
【誤訳訂正２】
【訂正対象書類名】明細書
【訂正対象項目名】００２２
【訂正方法】変更
【訂正の内容】
【００２２】
ミラー光沢銀層が望まれるのであればどのような場合でも、ミラー光沢銀堆積物を提供するためにこの方法が使用されうる。典型的には、スイッチ、電気コネクタもしくは宝飾品のような銅合金上のニッケル層もしくはニッケル合金層がコーティングされる。ポリマー材料上のニッケルもしくはニッケル合金層もコーティングされうる。
【誤訳訂正３】
【訂正対象書類名】明細書
【訂正対象項目名】００２３
【訂正方法】変更
【訂正の内容】
【００２３】
銀ストライクを電気めっきする方法は、電流トラックの形成におけるような太陽電池の製造における太陽電池産業においても使用されうる。電流トラックの形成においては、半導体ウェハがドープされてｐ／ｎ接合を形成する。このようなウェハは典型的にはウェハのｐ＋ドープエミッタ層側の上がＳｉ３Ｎ４の反射防止層でコーティングされる。次いで、１以上の既知の従来のエッチング方法を用いて、反射防止層を貫通し、ウェハのｐ＋ドープエミッタ層を露出させて、電流トラックがパターン形成される。このエミッタ層の電流トラック上にニッケルシード層が堆積されうる。当該技術分野において知られている従来のニッケル堆積方法によってニッケルシード層が堆積されうる。典型的には、ニッケルシード層は光アシストニッケル堆積によって堆積される。ニッケル源が無電解ニッケル組成物である場合には、めっきは外部電流を用いることなく行われる。ニッケル源が電解ニッケル組成物からのものである場合には、裏面電位（整流器）が半導体ウェハ基体に適用される。電流密度は０．１Ａ／ｄｍ２〜２Ａ／ｄｍ２の範囲であり得る。光源には、これに限定されないが、可視光、ＩＲ、ＵＶおよびＸ−線が挙げられる。
【誤訳訂正４】
【訂正対象書類名】明細書
【訂正対象項目名】００２４
【訂正方法】変更
【訂正の内容】
【００２４】
半導体ウェハの前面を光エネルギーで照明することにより、エミッタ層上でめっきがおこる。衝突する光エネルギーは半導体に電流を発生させる。２０ｎｍ〜３００ｎｍ厚のニッケル層が典型的に堆積される。
【誤訳訂正５】
【訂正対象書類名】明細書
【訂正対象項目名】００２５
【訂正方法】変更
【訂正の内容】
【００２５】
ニッケルシード層が堆積された後ですぐに銀ストライクがニッケルの隣に堆積される。典型的には、ニッケルがめっきされた後１分以内に、より典型的にはニッケルめっき後３０秒以内に、最も典型的には１〜３０秒で銀が堆積される。ニッケル堆積後短時間以内に銀がニッケル上に堆積されない場合には、そのニッケルは不動態化され、銀めっきの前に活性化されなければならない。不動態化はめっきに耐性の金属層を説明する一般的な用語である。不動態化された金属上でめっきがおこる場合には、不動態化金属とその上に堆積された金属との間の接着性は劣っており信頼性がない。典型的には、堆積された金属は不動態化金属から容易に剥がれる。よって、ニッケルめっき後１分以内にそのニッケル上に銀を堆積させることが非常に望ましく、そうでなければ、ニッケルと銀との間の信頼できる接着性を達成するのに活性化工程が必要とされる場合がある。
【誤訳訂正６】
【訂正対象書類名】明細書
【訂正対象項目名】００２８
【訂正方法】変更
【訂正の内容】
【００２８】
銀金属がニッケルの隣に堆積された後で、次いで半導体は焼結されてニッケルシリサイドを形成する。焼結はニッケル表面上に堆積された銀と共に行われて、銀とニッケルとの間の接着性を向上させる。ニッケル上にめっきされた銀との焼結は焼結のためのウィンドウを増大させる。言い換えれば、ウェハの損傷についての懸念無しに、ニッケルとケイ素との間の向上した結合を提供するために、焼結は所定のピーク温度で従来の処理を超えて延長されうる。多くの従来のプロセスにおいては、半導体をオーブン内で所定の温度で長すぎる期間維持することはニッケルがウェハ内に深く拡散してエミッタ層に入り、これよりウェハを短絡させる場合がある。ニッケルとケイ素との間の向上した結合はニッケルシリサイドと銀との間の接着欠陥の可能性を低減させる。さらに、銀は焼結温度によってシリサイド中に組み込まれず、よってニッケルシリサイドは、焼結中の酸化からニッケルを保護する銀を伴って形成される。３８０℃以上、もしくは４００℃〜５５０℃のウェハピーク温度を提供する炉が使用されうる。６５０℃を超えるピーク温度は使用されない、というのはこのような高い温度ではニッケルシリサイドおよびニッケルジシリサイドが両方とも形成されうるからである。ニッケルジシリサイドは半導体ウェハにおける電流を低減させる高い接触抵抗率を有するので、ニッケルジシリサイドの形成は望ましくない。典型的には、ピーク温度時間は２秒〜２０秒の範囲である。好適な炉の例はランプベースの（ＩＲ）である。
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
トナー画像を形成する画像形成部と、前記トナー画像が転写されたシートに前記トナー画像を定着させる定着部と、を備え、異なる種類のシートに対して順次画像を形成する画像形成装置において、
前記定着部を通過したシートのカールを補正すると共に、カール補正量が可変なカール補正部と、
先行シートのためのカール補正量から後続シートのためのカール補正量に前記カール補正部のカール補正量を変更する際に、先行シートのシート搬送方向上流端が前記カール補正部を通過するまでに前記カール補正量の変更を開始して後続シートが前記カール補正部に達するまでに前記カール補正部のカール補正量の変更を終了するよう前記カール補正部を制御する制御部と、
を備えたことを特徴とする画像形成装置。
【請求項２】
前記制御部は、前記カール補正量を変更する際、シートが、シート搬送方向下流側部分がカールしているシートの場合には、先行シートのシート搬送方向下流側部分が前記カール補正部を通過してから先行シートのシート搬送方向上流端が前記カール補正部を通過するまでに前記カール補正量の変更を開始すると共に後続シートが前記カール補正部に達するまでに前記カール補正部のカール補正量の変更を終了し、シートが、シート搬送方向上流側部分がカールしているシートの場合には、先行シートが前記カール補正部を通過してから前記カール補正量の変更を開始すると共に後続シートのシート搬送方向上流側部分が前記カール補正部に達するまでに前記カール補正部のカール補正量の変更を終了するよう前記カール補正部を制御することを特徴とする請求項１に記載の画像形成装置。
【請求項３】
前記定着部を通過する際にシート搬送方向下流側部分がカールしたシートを、前記カール補正部に案内する搬送通路と、
前記定着部を通過する際にシート搬送方向下流側部分がカールしたシートを、前記カール補正部に、シート搬送方向下流端及びシート搬送方向上流端が逆向きとなるように反転させて案内する反転搬送通路と、を備え、
前記制御部は、シートが前記搬送通路を通過したシートの場合は、シートのシート搬送方向下流側部分がカールしたシートと判断し、シートが前記反転搬送通路を通過したシートの場合は、シートのシート搬送方向上流側部分がカールしたシートと判断することを特徴とする請求項２記載の画像形成装置。
【請求項４】
前記制御部は、前記後続シートのためのカール補正量への変更を終了した後、少なくとも前記後続シートの搬送方向下流端が前記カール補正部に達するまで前記後続シートのためのカール補正量にすることを特徴とする請求項１乃至３のいずれか１項に記載の画像形成装置。
【請求項５】
トナー画像を形成する画像形成部と、前記トナー画像が転写されたシートに前記トナー画像を定着させる定着部と、を備え、異なる種類のシートに対して順次画像を形成する画像形成装置において、
前記定着部を通過したシートのカールを補正すると共に、カール補正量が可変なカール補正部と、
先行シートのためのカール補正量から後続シートのためのカール補正量に前記カール補正部のカール補正量を変更する際に、先行シートのシート搬送方向上流端が前記カール補正部を通過した後に、前記カール補正量の変更を開始し、且つ、前記後続シートの搬送方向下流端が前記カール補正部に達した後であって前記後続シートの搬送方向上流端が前記カール補正部を通過する前に前記カール補正部のカール補正量の変更を終了するよう前記カール補正部を制御する制御部と、
を備えたことを特徴とする画像形成装置。
【請求項６】
前記制御部は、前記後続シートのためのカール補正量への変更を終了した後、前記後続シートの搬送方向上流端が前記カール補正部を通過するまで前記後続シートのためのカール補正量にしたままにすることを特徴とする請求項５に記載の画像形成装置。
【請求項７】
前記カール補正部は、圧接して湾曲したニップ部を形成する硬さの異なる一対のローラから成るカール補正ローラ対と、前記カール補正ローラ対の圧接圧を変更して前記湾曲したニップ部の湾曲量を調整する湾曲量調整部とを備え、シートを、前記カール補正ローラ対の湾曲したニップ部を通過させてシートのカールを補正し、
前記制御部は、シートの種類に応じて前記湾曲したニップ部の湾曲量を調整するよう前記湾曲量調整部を制御することを特徴とする請求項１乃至６のいずれか１項に記載の画像形成装置。
【請求項８】
前記ニップ部の湾曲方向が異なる前記カール補正ローラ対を備えた前記カール補正部が、シート搬送方向に複数配置されていることを特徴とする請求項１乃至７のいずれか１項に記載の画像形成装置。
【請求項９】
シートの種類を入力する入力部を備え、
前記制御部は、前記入力部から入力されたシート情報により先行シートと後続シートの種類が異なると判断した場合は、前記カール補正量を、先行シートの種類に応じた前記カール補正量から後続シートの種類に応じた前記カール補正量に変更するよう前記カール補正部を制御することを特徴とする請求項１乃至８のいずれか１項に記載の画像形成装置。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
印刷機の給紙トレイ内の用紙ガイド間の固定位置で、サイズ指定されて保持される材料の第１のシートと、
前記第１のシートに接続するクリーニングシートと、
前記第１のシートと前記クリーニングシートを接続する少なくとも１つのコネクタと、を含み、
前記クリーニングシートは、給紙ローラと遅延ローラとの間の給紙ニップにぴったりとはまるサイズ及び厚みを有し、
前記第１のシートが、前記給紙トレイ内の前記固定位置に保持されると、前記コネクタにより、前記クリーニングシートは、前記第１のシートに対して一定の距離だけ動いて前記給紙ニップに進入することができ、
前記クリーニングシートが前記給紙ニップ内に位置すると、前記クリーニングシートは、前記給紙ローラ、及び前記遅延ローラをクリーニングする、装置。
【請求項２】
印刷機の給紙トレイ内の用紙ガイド間の固定で、位置サイズ指定されて保持される材料の第１のシートと、
前記第１のシートに接続するクリーニングシートと、
前記第１のシートと前記クリーニングシートを接続する少なくとも１つのコネクタと、
前記第１のシート及び前記クリーニングシートに接続する付勢部材と、を含み
前記クリーニングシートは、給紙ローラと遅延ローラとの間の給紙ニップにぴったりとはまるサイズ及び厚みを有し、
前記第１のシートが、前記給紙トレイ内の前記固定位置に保持されると、前記コネクタにより、前記クリーニングシートは、前記第１のシートに対して一定の距離だけ動いて前記給紙ニップに進入することができ、
前記付勢部材は、前記給紙ニップから離れる前記クリーニングシートに付勢し、
前記クリーニングシートが、前記給紙ニップ内に位置すると、前記クリーニングシートは、前記給紙ローラ、及び前記遅延ローラをクリーニングする、装置。
【請求項３】
請求項１または２に記載の装置であって、前記クリーニングシートは、前記給紙ローラおよび前記遅延ローラをクリーニングするのに十分な研磨面を含む、装置。
【請求項４】
請求項１または２に記載の装置であって、前記コネクタは棒材を含み、前記クリーニングシートは、前記棒材が中を通って延在する長穴を含み、前記長穴によって、前記クリーニングシートは前記第１のシートに対して動くことができる、装置。
【請求項５】
請求項１または２に記載の装置であって、前記第１のシートが、標準の用紙サイズに一致するサイズおよび形状を有する、装置。
【請求項６】
請求項１または２に記載の装置であって、前記第１のシートが、８と１／２×１１の用紙サイズ、８と１／２×１４の用紙サイズ、８×１０の用紙サイズ、５×７の用紙サイズ、Ａ４判の用紙サイズ、Ａ５判の用紙サイズ、Ｂ４判の用紙サイズのうちのいずれか一つに一致するサイズおよび形状を有する、装置。
【請求項７】
クリーニングシステムであって、
マシン可読媒体に記憶された一連の命令と、
クリーニング装置と、を備え、
前記一連の命令は、印刷機に、前記印刷機の給紙ニップに対してクリーニング動作を実行させるものであり、
前記クリーニング装置は、
印刷機の給紙トレイ内の用紙ガイド間の固定位置で、サイズ指定されて保持される材料の第１のシートと、
前記第１のシートに接続するクリーニングシートと、
前記第１のシートと前記クリーニングシートを接続する少なくとも１つのコネクタと、を含み、
前記クリーニング動作中、前記クリーニングシートは、給紙ローラと遅延ローラとの間の給紙ニップにぴったりとはまるサイズ及び厚みを有し、
前記クリーニング動作中、前記第１のシートが、前記給紙トレイ内の前記固定位置に保持されると、前記コネクタにより、前記クリーニングシートは、前記第１のシートに対して一定の距離だけ動いて前記給紙ニップに進入することができ、
前記クリーニング動作中、前記クリーニングシートが、前記給紙ニップ内に位置すると、前記クリーニングシートは、前記給紙ローラ、及び前記遅延ローラをクリーニングし、
前記印刷機が、クリーニングモードに入ると、前記一連の命令により、前記印刷機は、前記クリーニングシートを移動させ給紙ニップ内に進入させ、前記給紙ローラと前記遅延ローラを所定の時間だけ回転させる、クリーニングシステム。
【請求項８】
請求項７に記載のクリーニングシステムであって、前記クリーニングシートは、前記給紙ローラおよび前記遅延ローラをクリーニングするのに十分な研磨面を含む、クリーニングシステム。
【請求項９】
請求項７に記載のクリーニングシステムであって、前記コネクタは棒材を含み、前記クリーニングシートは、前記棒材が中を通って延在する長穴を含み、前記長穴によって、前記クリーニングシートは前記第１のシートに対して動くことができる、クリーニングシステム。
【請求項１０】
請求項７に記載のクリーニングシステムであって、前記第１のシートが、標準の用紙サイズに一致するサイズおよび形状を有する、クリーニングシステム。
【手続補正書】
【提出日】平成26年12月1日(2014.12.1)
【手続補正１】
【補正対象書類名】明細書
【補正対象項目名】０００９
【補正方法】変更
【補正の内容】
【０００９】
本発明の一態様に係る車両用空調装置は、第１流路を通過する空気と第２流路を通過する空気との間で熱交換をする第１の熱交換器と、前記第１流路および前記第２流路のうち、一方の流路を、車室内からの内気を車室外へ排出する排気流路から、車室外からの外気を車室内へ導入する吸気流路へ、他方の流路を前記吸気流路から前記排気流路へ交互に切り替える切替手段と、を具備する構成を採る。
【手続補正２】
【補正対象書類名】明細書
【補正対象項目名】００１０
【補正方法】変更
【補正の内容】
【００１０】
本発明によれば、切替手段により、第１の熱交換器の吸気流路と排気流路とが交互に切り替えられる。よって、第１の熱交換器の流路内における結露の発生を防止でき、また、第１の熱交換器自体の温度分布が大きく不均一になることを回避できる。従って、結露の発生または温度分布の不均一に起因する第１の熱交換器の熱交換効率の低下を防止できる。
【手続補正３】
【補正対象書類名】特許請求の範囲
【補正対象項目名】全文
【補正方法】変更
【補正の内容】
【特許請求の範囲】
【請求項１】
第１流路を通過する空気と第２流路を通過する空気との間で熱交換をする第１の熱交換器と、
前記第１流路および前記第２流路のうち、一方の流路を、車室内からの内気を車室外へ排出する排気流路から、車室外からの外気を車室内へ導入する吸気流路へ、他方の流路を前記吸気流路から前記排気流路へ交互に切り替える切替手段と、
を具備する車両用空調装置。
【請求項２】
冷媒と空調用空気とで熱交換を行う第２の熱交換器を有するヒートポンプ手段をさらに備え、
前記切替手段により切り替えられた前記第１の熱交換器の前記排気流路を通過した空気が前記第２の熱交換器へ導かれる、
請求項１記載の車両用空調装置。
【請求項３】
前記切替手段は、
前記第１流路の接続先を外気吸気口と前記第２の熱交換器への導入口とに切り替える第１切替弁と、
前記第２流路の接続先を外気吸気口と前記第２の熱交換器への導入口とに切り替える第２切替弁と、
を有する請求項２記載の車両用空調装置。
【請求項４】
前記第１切替弁により外気吸気口に接続される前記第１流路の吸気口に、車室内へ通じる内気吸気口を開放可能な第１開放弁と、
前記第２切替弁により外気吸気口に接続される前記第２流路の吸気口に、車室内へ通じる内気吸気口を開放可能な第２開放弁と、
をさらに具備する請求項３記載の車両用空調装置。
【請求項５】
前記切替手段は、前記第１流路および前記第２流路の空気の流れの向きを順方向と逆方向とに切り替える切替ファンであり、
前記第１の熱交換器と前記第２の熱交換器とが近接されて前記第１流路および前記第２流路が前記第２の熱交換器の流路を２分割した各流路に連結されている
請求項２記載の車両用空調装置。
【請求項６】
前記第２の熱交換器から車外へ通じる流路を開閉する開閉弁、
をさらに具備する請求項５記載の車両用空調装置。
【請求項７】
前記切替ファンは、前記第１流路および前記第２流路にそれぞれ連結されて車室内へ通じる２つの内気流路に配置され、
前記切替ファンと前記第１流路との間、および、前記切替ファンと前記第２流路との間を共に開閉する開閉弁と、
前記切替ファンと前記第１の熱交換器との間で前記２つの内気流路を結ぶバイパス流路と、
をさらに具備する請求項５記載の車両用空調装置。
【請求項８】
前記第１流路に連結される前記第２の熱交換器の車外流路側に、車室内へ通じる内気吸気口を開放可能な第３開放弁と、
前記第２流路に連結される前記第２の熱交換器の車外流路側に、車室内へ通じる内気吸気口を開放可能な第４開放弁と、
をさらに具備する請求項５記載の車両用空調装置。
【請求項９】
前記第１の熱交換器は顕熱交換器である
請求項１から請求項８の何れか一項に記載の車両用空調装置。
【手続補正書】
【提出日】平成26年11月28日(2014.11.28)
【手続補正１】
【補正対象書類名】特許請求の範囲
【補正対象項目名】請求項２
【補正方法】変更
【補正の内容】
【請求項２】
前記変動短縮手段は、前記短縮指示手段を介して前記指示が行なわれた際に変動されている図柄の変動時間のみを短縮するものであることを特徴とする請求項１に記載の弾球遊技機。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
Ｘ線を発生するＸ線管と、
前記Ｘ線管を搭載する回転フレームを、被検体を載置する天板の周囲で回転させる回転駆動部と、
前記天板の長軸方向に沿って、複数回に亘って、前記回転フレームと前記天板とを相対的に往復移動させる移動駆動手段と、
前記回転フレームと前記天板との相対的な往復移動において、往路における複数の移動にそれぞれ対応する前記Ｘ線管の複数の移動軌跡を一致させ、復路における複数の移動にそれぞれ対応する前記Ｘ線管の複数の移動軌跡を一致させるために、前記移動駆動手段を制御するスキャン制御部と、
を具備することを特徴とするＸ線コンピュータ断層撮影装置。
【請求項２】
前記スキャン制御部は、撮影範囲の情報に基づいて前記往復移動の速度を決定することを特徴とする請求項１に記載のＸ線コンピュータ断層撮影装置。
【請求項３】
前記スキャン制御部は、撮影範囲の情報に基づいて、前記往復移動の折返し部分における相対移動の加速度を決定することを特徴とする請求項１または２に記載のＸ線コンピュータ断層撮影装置。
【請求項４】
前記スキャン制御部は、前記被検体の撮影範囲に基づいて、前記往復移動の折返し部分における相対移動の加速度の時間変化パターンを決定することを特徴とする請求項１乃至３のうちいずれか一項に記載のＸ線コンピュータ断層撮影装置。
【請求項５】
前記スキャン制御部は、撮影範囲の情報に基づいて、前記往復移動の一定速度区間の速度を決定することを特徴とする請求項１乃至４のうちいずれか一項に記載のＸ線コンピュータ断層撮影装置。
【請求項６】
前記スキャン制御部は、前記往復移動の折返し部分の加速、減速区間において、Ｘ線を発生して、投影データを収集するために前記Ｘ線管を制御することを特徴とする請求項１乃至４のうちいずれか一項に記載のＸ線Ｘ線コンピュータ断層撮影装置。
【手続補正２】
【補正対象書類名】明細書
【補正対象項目名】０００６
【補正方法】変更
【補正の内容】
【０００６】
本実施形態に係るＸ線コンピュータ断層撮影装置は、Ｘ線を発生するＸ線管と、前記Ｘ線管を搭載する回転フレームを、被検体を載置する天板の周囲で回転させる回転駆動部と、前記天板の長軸方向に沿って、複数回に亘って、前記回転フレームと前記天板とを相対的に往復移動させる移動駆動手段と、前記回転フレームと前記天板との相対的な往復移動において、往路における複数の移動にそれぞれ対応する前記Ｘ線管の複数の移動軌跡を一致させ、復路における複数の移動にそれぞれ対応する前記Ｘ線管の複数の移動軌跡を一致させるために、前記移動駆動手段を制御するスキャン制御部と、を具備することを特徴とする。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
遊技球の始動口への入球に起因して抽出された乱数に基づき大当り抽選を行う主制御装置と、該主制御装置からの通知をもとに複数の演出の中から表示する演出を選択するサブ制御装置とを備える弾球遊技機であって、
前記主制御装置は、
前記乱数の保留記憶を行う保留記憶手段と、
前記保留記憶に係る前記乱数に基づき前記大当り抽選を行う抽選手段と、
前記保留記憶に係る前記乱数に基づく前記大当り抽選が行われる前に、該乱数が特定値か否かを示す先読み判定結果を前記サブ制御装置に通知する先読み制御手段と、
前記保留記憶の発生した旨を前記サブ制御装置に送信する送信手段と、を備え、
前記サブ制御装置は、
前記保留記憶が発生すると、対応する保留図柄を表示する保留図柄表示手段と、
前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、
前記大当り抽選が行われる直前に表示される前記保留図柄である最終図柄の種類を、前記先読み判定結果に応じた確率で選択する最終図柄決定手段と、
前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備え、
それぞれの種類の前記保留図柄は、信頼度の高さにより固定的に順位付けされ、前記変化演出において、前記一時図柄の信頼度から１段階低い信頼度の前記最終図柄に変化することを一段降格とすると共に、前記一時図柄の信頼度から１段階高い信頼度の前記最終図柄に変化することを一段昇格とし、
前記段階演出の態様として、第一態様と第二態様との少なくとも二つが設けられており、前記変化演出の有無と、前記変化演出における前記一時図柄及び前記最終図柄の種類とに応じて前記第一態様又は前記第二態様が実行され、
前記一段昇格となる場合は、前記段階演出手段によって前記第一態様よりも前記第二態様が実行される確率が高く、
前記一段降格となる場合は、前記段階演出手段によって前記第二態様よりも前記第一態様が実行される確率が高くなるようにしたことを特徴とする弾球遊技機。
【手続補正２】
【補正対象書類名】明細書
【補正対象項目名】００１２
【補正方法】変更
【補正の内容】
【００１２】
また、サブ制御装置は、前記保留記憶が発生すると、対応する保留図柄を表示する保留図柄表示手段と、前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、前記大当り抽選が行われる直前に表示される前記保留図柄である最終図柄の種類を、前記先読み判定結果に応じた確率で選択する最終図柄決定手段と、前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備える。
【手続補正３】
【補正対象書類名】明細書
【補正対象項目名】００１３
【補正方法】変更
【補正の内容】
【００１３】
そして、それぞれの種類の前記保留図柄は、信頼度の高さにより固定的に順位付けされ、前記変化演出において、前記一時図柄の信頼度から１段階低い信頼度の前記最終図柄に変化することを一段降格とすると共に、前記一時図柄の信頼度から１段階高い信頼度の前記最終図柄に変化することを一段昇格とし、前記段階演出の態様として、第一態様と第二態様との少なくとも二つが設けられており、前記変化演出の有無と、前記変化演出における前記一時図柄及び前記最終図柄の種類とに応じて前記第一態様又は前記第二態様が実行され、前記一段昇格となる場合は、前記段階演出手段によって前記第一態様よりも前記第二態様が実行される確率が高く、前記一段降格となる場合は、前記段階演出手段によって前記第二態様よりも前記第一態様が実行される確率が高くなるようにしている。
【手続補正４】
【補正対象書類名】明細書
【補正対象項目名】００２６
【補正方法】変更
【補正の内容】
【００２６】
また、それぞれの種類の保留図柄は、信頼度の高さにより固定的に順位付けされ、変化演出における一時図柄から最終図柄への変化による信頼度の順位の変動度合いを、信頼度変動とし、信頼度変動として、順位が低下する第一降格変動と、該第一降格変動よりもより多く順位が低下する第二降格変動との少なくとも二つが設けられていてもよい。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
遊技球の始動口への入球に起因して抽出された乱数に基づき大当り抽選を行う主制御装置と、該主制御装置からの通知をもとに複数の演出の中から表示する演出を選択するサブ制御装置とを備える弾球遊技機であって、
前記主制御装置は、
前記乱数の保留記憶を行う保留記憶手段と、
前記保留記憶に係る前記乱数に基づき前記大当り抽選を行う抽選手段と、
前記保留記憶に係る前記乱数に基づく前記大当り抽選が行われる前に、該乱数が特定値か否かを示す先読み判定結果を前記サブ制御装置に通知する先読み制御手段と、
前記保留記憶の発生した旨を前記サブ制御装置に送信する送信手段と、を備え、
前記サブ制御装置は、
前記保留記憶が発生すると、対応する保留図柄を表示する保留図柄表示手段と、
前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、
前記大当り抽選が行われる直前に表示される前記保留図柄である最終図柄の種類を、前記先読み判定結果に応じた確率で選択する最終図柄決定手段と、
前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備え、
前記変化演出において、前記最終図柄として選択された前記保留図柄の前記信頼度が前記一時図柄として選択された前記保留図柄の前記信頼度よりも高くなることを昇格とし、
前記降格となる前記変化演出が行われた場合における、該変化演出の対象となる前記保留記憶により大当りとなる確率は、該変化演出によって変化した前記保留図柄と同一の種類の前記保留図柄が前記最終図柄として用いられる前記昇格となる前記変化演出の対象となる前記保留記憶により大当りとなる確率よりも高くなるよう設定されていること、
を特徴とする弾球遊技機。
【手続補正２】
【補正対象書類名】明細書
【補正対象項目名】００１２
【補正方法】変更
【補正の内容】
【００１２】
また、サブ制御装置は、前記保留記憶が発生すると、対応する保留図柄を表示する保留図柄表示手段と、前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、前記大当り抽選が行われる直前に表示される前記保留図柄である最終図柄の種類を、前記先読み判定結果に応じた確率で選択する最終図柄決定手段と、前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備える。
【手続補正３】
【補正対象書類名】明細書
【補正対象項目名】００１３
【補正方法】変更
【補正の内容】
【００１３】
そして、変化演出において、最終図柄として選択された保留図柄の信頼度が一時図柄として選択された保留図柄の信頼度よりも高くなることを昇格とする。なお、段階演出手段は、昇格となる変化演出が行われる場合にも、一時図柄が最終図柄に変化する前に段階演出を行う構成が好ましい。
【手続補正４】
【補正対象書類名】明細書
【補正対象項目名】００１７
【補正方法】変更
【補正の内容】
【００１７】
さらに、昇格となる変化演出が行われる場合にも段階演出が行う構成ならば、遊技者は、信頼度の低い保留図柄が表示されている場合等には、段階演出の発生を望むようになる。また、段階演出が発生した際には、変化演出にて昇格になる可能性と降格になる可能性があるため、遊技者に対し期待感と不安感を与えることができ、遊技の趣向性を高めることができる。
【手続補正５】
【補正対象書類名】明細書
【補正対象項目名】００２３
【補正方法】変更
【補正の内容】
【００２３】
また、請求項１に記載されているように、降格となる変化演出が行われた場合における、該変化演出の対象となる保留記憶により大当りとなる確率は、該変化演出によって変化した前記保留図柄と同一の種類の保留図柄が最終図柄として用いられる昇格となる変化演出の対象となる保留記憶により大当りとなる確率よりも高くなるよう設定されている。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
インクジェット記録ヘッドの製造方法において、
インクを供給するための凹部または貫通溝からなる流路を表面に備える第１の基板と、インクを吐出するために利用されるエネルギを発生するエネルギ発生素子を備える第２の基板と、を用意する工程と、
前記第１の基板の前記表面上に、ローラ状の転写体によって転写液を所定の方向に沿って転写する工程と、
前記第１の基板と前記第２の基板とを前記転写液を介して貼り合わせる工程と、を備え、
前記転写液を転写する工程において、前記所定の方向と直交する方向に関して、前記転写体と前記第１の基板とが前記転写液を介して接する長さは等しいことを特徴とするインクジェット記録ヘッドの製造方法。
【請求項２】
前記転写体と前記第１の基板とが前記転写液を介して接する領域は、前記所定の方向に平行な中心線に対して対称である、請求項１に記載のインクジェット記録ヘッドの製造方法。
【請求項３】
前記第１の基板は、表面積を減らすための表面積調整用凹部を有する、請求項２に記載のインクジェット記録ヘッドの製造方法。
【請求項４】
前記表面積調整用凹部の深さは、前記転写体の周面に塗布されている前記転写液の厚みよりも大きい、請求項３に記載のインクジェット記録ヘッドの製造方法。
【請求項５】
前記第１の基板の前記表面の前記所定の方向に平行な中心線の両側における表面積は互いに等しい、請求項３または４に記載のインクジェット記録ヘッドの製造方法。
【請求項６】
インクジェット記録ヘッドの製造方法において、
インクを供給するための凹部または貫通溝からなる流路と、インクを供給するためには使用されない凹部または貫通溝からなる調整部と、を表面に備える第１の基板と、インクを吐出するために利用されるエネルギを発生するエネルギ発生素子を備える第２の基板と、を用意する工程と、
前記第１の基板の前記表面上に、ローラ状の転写体によって転写液を所定の方向に沿って転写する工程と、
前記第１の基板と前記第２の基板とを前記転写液を介して貼り合わせる工程と、を備え、
前記第１の基板の前記表面において、前記所定の方向と直交する方向に関して、前記流路と前記調整部とが並べて配されていることを特徴とするインクジェット記録ヘッドの製造方法。
【請求項７】
前記第１の基板の前記表面において、前記所定の方向に関して、前記流路と前記調整部とが並べて配されている、請求項６に記載のインクジェット記録ヘッドの製造方法。
【請求項８】
前記第１の基板の前記表面において、前記所定の方向に関して、前記流路と前記調整部とが交互に配されている、請求項６または７に記載のインクジェット記録ヘッドの製造方法。
【請求項９】
前記調整部の深さは前記流路の深さよりも浅い、請求項６ないし８のいずれか１項に記載のインクジェット記録ヘッドの製造方法。
【請求項１０】
請求項１ないし９のいずれか１項に記載のインクジェット記録ヘッドの製造方法を用いて製造されたインクジェット記録ヘッド。
【手続補正２】
【補正対象書類名】明細書
【補正対象項目名】００１７
【補正方法】変更
【補正の内容】
【００１７】
上述した課題を解決するために、本発明に係るインクジェット記録ヘッドの製造方法は、インクを供給するための凹部または貫通溝からなる流路を表面に備える第１の基板と、インクを吐出するために利用されるエネルギを発生するエネルギ発生素子を備える第２の基板と、を用意する工程と、第１の基板の表面上に、ローラ状の転写体によって転写液を所定の方向に沿って転写する工程と、第１の基板と第２の基板とを転写液を介して貼り合わせる工程と、を備え、転写液を転写する工程において、所定の方向と直交する方向に関して、転写体と第１の基板とが転写液を介して接する長さは等しいことを特徴とする。
【手続補正書】
【提出日】平成26年12月1日(2014.12.1)
【手続補正１】
【補正対象書類名】明細書
【補正対象項目名】００１２
【補正方法】変更
【補正の内容】
【００１２】
又、請求項２に記載した製造方法は、請求項１に記載したステアリング装置の製造方法であって、１枚の板状の素材から成る中間ブラケット素材を形成する工程を有する。
この中間ブラケット素材は、１対の中間取付板部と、１対の中間支持板部と、中間連続部とを備える。
このうちの両中間取付板部は、幅方向に関して互いに離隔した状態で設けられている。
又、前記両中間支持板部は、それぞれの幅方向に関する一端が前記両中間取付板部の幅方向内端縁に連続している。一方、これら両中間支持板部の幅方向に関する他端は、他の部分と結合されていない自由端である。
又、前記中間連続部は、前記両中間取付板部同士の間に掛け渡す状態で、その幅方向両端縁を、これら両中間取付板部の幅方向内端縁のうちの前記両中間支持板部が配置された以外の部分に連続している。
又、前記中間ブラケット素材を形成した後、前記両中間支持板部を、前記両中間取付板部の幅方向内端縁からそれぞれが下方に垂れ下がった状態に塑性変形させると共に、前記中間連続部を、この中間連続部の幅方向に関する寸法が小さくなる様に塑性変形させる事により、支持ブラケットを形成する。
そして、前記両中間取付板部のそれぞれの幅方向に関する寸法をａとし、前記両中間支持板部のそれぞれの幅方向に関する寸法をｂとし、前記中間ブラケット素材の幅方向に関する寸法をＣとし、前記支持ブラケットの幅方向に関する寸法をＤとした場合に、２（ａ＋ｂ）＞Ｄ、且つ、Ｃ＞Ｄの関係を満たす様にする。
【手続補正２】
【補正対象書類名】特許請求の範囲
【補正対象項目名】請求項２
【補正方法】変更
【補正の内容】
【請求項２】
請求項１に記載したステアリング装置を造る為のステアリング装置の製造方法であって、１枚の板状の素材から成る中間ブラケット素材を形成する工程を有し、
前記中間ブラケット素材は、１対の中間取付板部と、１対の中間支持板部と、中間連続部とを備え、
このうちの両中間取付板部は、幅方向に関して互いに離隔した状態で設けられており、
前記両中間支持板部は、それぞれの幅方向に関する一端を前記両中間取付板部の幅方向内端縁に連続すると共に、幅方向に関する他端を自由端としており、
前記中間連続部は、前記両中間取付板部同士の間に掛け渡す状態で、その幅方向両端縁を、これら両中間取付板部の幅方向内端縁のうちの前記両中間支持板部が配置された以外の部分に連続しており、
前記中間ブラケット素材を形成した後、前記両中間支持板部を、前記両中間取付板部の幅方向内端縁からそれぞれが下方に垂れ下がった状態に塑性変形させると共に、前記中間連続部を、この中間連続部の幅方向に関する寸法が小さくなる様に塑性変形させる事により支持ブラケットを形成すべく、
前記両中間取付板部のそれぞれの幅方向に関する寸法をａとし、
前記両中間支持板部のそれぞれの幅方向に関する寸法をｂとし、
前記中間ブラケット素材の幅方向に関する寸法をＣとし、
前記支持ブラケットの幅方向に関する寸法Ｄとした場合に、
２（ａ＋ｂ）＞Ｄ、且つ、Ｃ＞Ｄの関係を満たす、前記中間ブラケット素子を使用する事を特徴とするステアリング装置の製造方法。
【手続補正３】
【補正対象書類名】特許請求の範囲
【補正対象項目名】請求項７
【補正方法】変更
【補正の内容】
【請求項７】
前記中間連続部のうちの、前記塑性変形の起点とする部分に、切り欠きを設けている、請求項２〜６のうちの何れか１項に記載したステアリング装置の製造方法。